(57)【要約】【課題】複数の点灯回路を備えていても、突入電流が増加するのを抑制可能な照明装置を提供する。【解決手段】照明装置は、照明負荷１と、照明負荷１を点灯させる点灯回路２と、突入電流防止用の抵抗Ｒ１を有し点灯回路２への突入電流を防止する突入電流防止回路３とを具備する照明ユニット１０を複数備え、各照明ユニット１０が互いに並列接続されている。各突入電流防止回路３には、突入電流防止用の抵抗Ｒ１を介して点灯回路２と電気的に接続されるか、突入電流防止用の抵抗Ｒ１を介さずに点灯回路２と電気的に接続されるかを選択可能とする選択部４が設けられている。【選択図】図１
2013257980.tif 000002
【特許請求の範囲】
【請求項１】
照明負荷と、前記照明負荷を点灯させる点灯回路と、突入電流防止用の抵抗を有し前記点灯回路への突入電流を防止する突入電流防止回路とを具備する照明ユニットを複数備え、前記各照明ユニットが互いに並列接続されており、前記各突入電流防止回路に、前記抵抗を介して前記点灯回路と電気的に接続されるか、前記抵抗を介さずに前記点灯回路と電気的に接続されるかを選択可能とする選択部が設けられてなることを特徴とする照明装置。
【請求項２】
複数の前記照明ユニットのうち１つの前記照明ユニットである第１の前記照明ユニットは、商用電源から前記第１の前記照明ユニットの前記突入電流防止回路における前記抵抗を介して前記第１の前記照明ユニットの前記点灯回路に給電され、残りの前記照明ユニットである第２の前記照明ユニットは、前記商用電源から前記第１の前記照明ユニットの前記抵抗を介した後に、前記第２の前記照明ユニットの前記突入電流防止回路における前記抵抗を介さずに前記第２の前記照明ユニットの前記点灯回路に給電されることを特徴とする請求項１記載の照明装置。
【請求項３】
照明負荷と、前記照明負荷を点灯させる点灯回路と、抵抗値を可変とする可変抵抗を有し前記点灯回路への突入電流を防止する突入電流防止回路とを具備する照明ユニットを複数備え、前記各照明ユニットが互いに並列接続されてなることを特徴とする照明装置。
【請求項４】
照明負荷と、前記照明負荷を点灯させる点灯回路と、前記点灯回路への突入電流を防止する突入電流防止回路とを具備する照明ユニットを複数備え、前記各照明ユニットが互いに並列接続されており、前記各突入電流防止回路に、複数の突入電流防止用の抵抗を有する突入電流防止部と、前記突入電流防止部の抵抗値を調整可能な調整部とが設けられてなることを特徴とする照明装置。
【請求項５】
前記各照明ユニットへの給電を一括でオンオフするためのスイッチ部と、前記スイッチ部のオンオフを制御する制御回路とを備えてなることを特徴とする請求項１ないし請求項４のいずれか１項に記載の照明装置。
【発明の詳細な説明】
【技術分野】
【０００１】
本発明は、照明装置に関するものである。
【背景技術】
【０００２】
従来から、光源として発光ダイオードを用いた照明装置（以下、ＬＥＤ照明装置）が提案されている（例えば、特許文献１）。
【０００３】
特許文献１には、図１０に示す構成を有するＬＥＤ照明装置６０が記載されている。このＬＥＤ照明装置６０は、一対の入力端子６１ａ,６１ｂと、抵抗器６２と、全波ブリッジ整流回路６３と、電解コンデンサ６４と、ＰＷＭスイッチング方式インバータ（以下、インバータ）６５と、複数の高出力パワーＬＥＤ６６とを備えている。なお、一対の入力端子６１ａ,６１ｂには、商用電源からの交流電圧が印加される。また、電解コンデンサ６４は、全波ブリッジ整流回路６３からの全波整流電圧に含まれるリップルを除去する。
【０００４】
インバータ６５は、ＬＥＤ駆動用の駆動電圧を生成する。また、インバータ６５は、電解コンデンサ６４により平滑化された全波整流電圧をＰＷＭスイッチング方式でオン・オフ制御し、デューティ比が可変の矩形パルス状交流電圧（ＰＷＭ出力電圧）を出力する。
【０００５】
複数の高出力パワーＬＥＤ６６は、互いに直列に接続されており、ＬＥＤアレイを構成している。このＬＥＤアレイの両端には、インバータ６５から出力されたＰＷＭ出力電圧が印加される。
【０００６】
特許文献１には、一対の入力端子６１ａ，６１ｂの一方である入力端子６１ａと、全波ブリッジ整流回路６３の二つの入力端子における一方の入力端子との間に、上述の抵抗器６２が接続されていることが記載されている。また、特許文献１には、この抵抗器６２が、力率改善と点灯時の突入電流防止のために設けられていることが記載されている。
【先行技術文献】
【特許文献】
【０００７】
【特許文献１】特開２０１０−１７７０５９号公報
【発明の概要】
【発明が解決しようとする課題】
【０００８】
上述のＬＥＤ照明装置６０では、入力端子６１ａと全波ブリッジ整流回路６３の二つの入力端子における一方の入力端子との間に、抵抗器６２を設けている。これにより、上述のＬＥＤ照明装置６０では、抵抗器６２の抵抗値を、この抵抗器６２に流れる入力電流の大きさに応じて適宜設定することにより、突入電流を防止することが可能となる。
【０００９】
ここで、本願発明者は、上述のＬＥＤ照明装置６０において複数の高出力パワーＬＥＤ６６による光出力の大きさを増加させるために、複数のＬＥＤ照明装置６０を互いに並列接続した照明装置を考えた。また、本願発明者は、このような照明装置では、各抵抗器６２の各々が並列接続されるため、上述の照明装置の入力抵抗（並列接続された各抵抗器６２の合成抵抗）の抵抗値が、上述のＬＥＤ照明装置６０における抵抗器６２の抵抗値よりも小さくなると考えた。そして、本願発明者は、上述の照明装置では、複数の高出力パワーＬＥＤ６６を点灯させるインバータ６５（点灯回路）の数が増えて突入電流が増加するだけでなく、上述の照明装置の上記入力抵抗の抵抗値が小さくなるので、突入電流がさらに増加する可能性があると考えた。
【００１０】
本発明は上記事由に鑑みて為されたものであり、その目的は、複数の点灯回路を備えていても、突入電流が増加するのを抑制可能な照明装置を提供することにある。
【課題を解決するための手段】
【００１１】
本発明の照明装置は、照明負荷と、前記照明負荷を点灯させる点灯回路と、突入電流防止用の抵抗を有し前記点灯回路への突入電流を防止する突入電流防止回路とを具備する照明ユニットを複数備え、前記各照明ユニットが互いに並列接続されており、前記各突入電流防止回路に、前記抵抗を介して前記点灯回路と電気的に接続されるか、前記抵抗を介さずに前記点灯回路と電気的に接続されるかを選択可能とする選択部が設けられてなることを特徴とする。
【００１２】
この照明装置において、複数の前記照明ユニットのうち１つの前記照明ユニットである第１の前記照明ユニットは、商用電源から前記第１の前記照明ユニットの前記突入電流防止回路における前記抵抗を介して前記第１の前記照明ユニットの前記点灯回路に給電され、残りの前記照明ユニットである第２の前記照明ユニットは、前記商用電源から前記第１の前記照明ユニットの前記抵抗を介した後に、前記第２の前記照明ユニットの前記突入電流防止回路における前記抵抗を介さずに前記第２の前記照明ユニットの前記点灯回路に給電されることが好ましい。
【００１３】
本発明の照明装置は、照明負荷と、前記照明負荷を点灯させる点灯回路と、抵抗値を可変とする可変抵抗を有し前記点灯回路への突入電流を防止する突入電流防止回路とを具備する照明ユニットを複数備え、前記各照明ユニットが互いに並列接続されてなることを特徴とする。
【００１４】
本発明の照明装置は、照明負荷と、前記照明負荷を点灯させる点灯回路と、前記点灯回路への突入電流を防止する突入電流防止回路とを具備する照明ユニットを複数備え、前記各照明ユニットが互いに並列接続されており、前記各突入電流防止回路に、複数の突入電流防止用の抵抗を有する突入電流防止部と、前記突入電流防止部の抵抗値を調整可能な調整部とが設けられてなることを特徴とする。
【００１５】
この照明装置において、前記各照明ユニットへの給電を一括でオンオフするためのスイッチ部と、前記スイッチ部のオンオフを制御する制御回路とを備えてなることが好ましい。
【発明の効果】
【００１６】
本発明の照明装置においては、複数の点灯回路を備えていても、突入電流が増加するのを抑制可能となる。
【図面の簡単な説明】
【００１７】
【図１】実施形態１の照明装置の概略構成図である。
【図２】同上の照明装置の照明ユニットの概略構成図である。
【図３】比較例の照明装置の概略構成図である。
【図４】実施形態１の照明装置の他の概略構成図である。
【図５】同上の照明装置に関して、照明装置の入力抵抗の抵抗値と突入電流の相対値との相関図である。
【図６】実施形態２の照明装置の概略構成図である。
【図７】同上の照明装置の他の概略構成図である。
【図８】実施形態３の照明装置の概略構成図である。
【図９】同上の照明装置の他の概略構成図である。
【図１０】従来例のＬＥＤ照明装置の構成を示す回路図である。
【発明を実施するための形態】
【００１８】
（実施形態１）
以下、本実施形態の照明装置について、図１および図２を参照しながら説明する。
【００１９】
本実施形態の照明装置は、光源としての照明負荷１と、照明負荷１を点灯させる点灯回路２と、突入電流防止用の抵抗Ｒ１を有し点灯回路２への突入電流を防止する突入電流防止回路３とを具備する照明ユニット１０を複数（本実施形態では、３つ）備えている。各照明ユニット１０は、互いに並列接続されている。なお、本実施形態では、点灯回路２と突入電流防止回路３とが、照明負荷１を点灯可能な点灯装置１２を構成している。
【００２０】
照明負荷１としては、例えば、複数（本実施形態では、６つ）の発光素子１ａを所定の接続関係で接続したものを、用いることができる。本実施形態では、発光素子１ａとして、例えば、白色光を発光するＬＥＤ素子を採用している。また、本実施形態では、照明負荷１における複数の発光素子１ａの接続関係を、直列接続としているが、並列接続であってもよいし、直列接続と並列接続とを組み合わせた接続であってもよい。なお、本実施形態では、発光素子１ａの数を複数としているが、１つであってもよい。また、本実施形態では、発光素子１ａの発光色を白色としているが、白色に限るものではない。
【００２１】
点灯回路２は、例えば、交流電圧を整流する整流回路（図示せず）と、この整流回路により整流された電圧を平滑する平滑用のコンデンサ（図示せず）と、この平滑用のコンデンサにより平滑された電圧を所定の直流電圧に変換する変換回路（図示せず）とを備えている。
【００２２】
上記整流回路としては、例えば、４つのダイオードにより構成されたダイオードブリッジなどを用いることができる。本実施形態では、上記整流回路の一対の出力端間に、上記平滑用のコンデンサが接続されている。
【００２３】
上記変換回路としては、例えば、図１０に示す構成を有する従来例のＬＥＤ照明装置６０に用いられたＰＷＭスイッチング方式インバータ（以下、インバータ）６５などを用いることができる。本実施形態では、上記変換回路の一対の入力端が、上記平滑用のコンデンサに接続されている。また、上記変換回路の一対の出力端は、照明負荷１に接続されている。なお、本実施形態では、上記変換回路として、インバータ６５を用いているが、これに限らず、例えば、上記平滑用のコンデンサにより平滑された電圧を所定の直流電圧に変換して照明負荷１へ出力するＤＣ／ＤＣコンバータなどを用いてもよい。
【００２４】
突入電流防止回路３は、突入電流防止用の抵抗Ｒ１と、商用電源ＡＣに電気的に接続可能な接続装置５とを備えている。
【００２５】
接続装置５は、商用電源ＡＣ側からの交流電圧を入力可能な一対の入力端子５ａ，５ｃと、商用電源ＡＣ側からの交流電圧を入力可能または出力可能な一対の入出力端子５ｂ，５ｄとを有している。なお、本実施形態の照明装置では、入力端子５ｃと入出力端子５ｄとを、接続装置５の共通端子１５としてある。また、本実施形態の照明装置における接続装置５は、端子台であってもよいし、コネクタであってもよい。
【００２６】
ところで、各照明ユニット１０は、突入電流防止回路３に、突入電流防止用の抵抗Ｒ１を介して点灯回路２と電気的に接続されるか、突入電流防止用の抵抗Ｒ１を介さずに点灯回路２と電気的に接続されるかを選択可能とする選択部４が設けられている。
【００２７】
選択部４は、上述の入力端子５ａと、上述の入出力端子５ｂと、上述の突入電流防止用の抵抗Ｒ１とを有している。
【００２８】
本実施形態の照明装置では、入力端子５ａが、突入電流防止用の抵抗Ｒ１を介して点灯回路２の一対の入力端における一方の入力端と電気的に接続されている。また、入出力端子５ｂは、点灯回路２の一対の入力端における一方の入力端と電気的に接続されている。なお、入出力端子５ｂは、突入電流防止用の抵抗Ｒ１と点灯回路２の一対の入力端における一方の入力端との接続点Ｐ１と電気的に接続されている。
【００２９】
また、本実施形態の照明装置では、作業者などが、各照明ユニット１０の各々を電気的に接続するための接続線（図示せず）を、接続装置５の入力端子５ａに接続することで、突入電流防止用の抵抗Ｒ１を介して点灯回路２と電気的に接続可能となる。また、本実施形態の照明装置では、作業者などが、上記接続線を接続装置５の入出力端子５ｂに接続することで、突入電流防止用の抵抗Ｒ１を介さずに点灯回路２と電気的に接続可能となる。
【００３０】
また、本実施形態の照明装置では、接続装置５の共通端子１５が、点灯回路２の一対の入力端における他方の入力端と電気的に接続されている。
【００３１】
また、本実施形態の照明装置は、センサ７を有するセンサ装置８を備えている。
【００３２】
センサ装置８は、センサ７と、各照明ユニット１０への給電を一括でオンオフするためのスイッチ部９と、スイッチ部９のオンオフを制御する制御回路１１とを備えている。
【００３３】
センサ７としては、例えば、周囲の照度を検出する照度センサなどを用いることができる。
【００３４】
スイッチ部９としては、例えば、リレーなどを用いることができる。
【００３５】
制御回路１１は、例えば、マイクロコンピュータに適宜のプログラムを搭載することにより構成することができる。この制御回路１１は、センサ７の出力に基づいてスイッチ部９のオンオフを制御する。具体的に説明すると、制御回路１１は、例えば、センサ７により検出された照度が予め設定された規定値以下のときに、スイッチ部９をオンする。また、制御回路１１は、例えば、センサ７により検出された照度が上記規定値よりも大きいときに、スイッチ部９をオフする。
【００３６】
なお、本実施形態の照明装置では、センサ７として照度センサを用いているが、これに限らず、例えば、人の在否を検出する人感センサなどを用いてもよい。
【００３７】
以下、本実施形態の照明装置において、各照明ユニット１０の各々とセンサ装置８との接続関係を、図１に基づいて説明する。なお、本実施形態では、説明の便宜上、３つの照明ユニット１０を、第１の照明ユニット１０ａ、第２の照明ユニット１０ｂ、第３の照明ユニット１０ｃと称することもある。また、本実施形態では、商用電源ＡＣを構成要件として含まない。
【００３８】
複数の照明ユニット１０のうち１つの照明ユニット１０である第１の照明ユニット１０ａにおける接続装置５の入力端子５ａは、センサ装置８のスイッチ部９を介して商用電源ＡＣの一端側と電気的に接続されている。具体的には、第１の照明ユニット１０ａにおける入力端子５ａがスイッチ部９の一対の固定接点における一方の固定接点に接続され、他方の固定接点が商用電源ＡＣの一端側に接続されている。
【００３９】
また、第１の照明ユニット１０ａにおける接続装置５の入出力端子５ｂは、残りの照明ユニット１０である第２の照明ユニット１０ｂにおける接続装置５の入出力端子５ｂと電気的に接続されている。さらに、第１の照明ユニット１０ａにおける接続装置５の入出力端子５ｂは、残りの照明ユニット１０である第３の照明ユニット１０ｃにおける接続装置５の入出力端子５ｂと電気的に接続されている。
【００４０】
また、第１の照明ユニット１０ａにおける接続装置５の共通端子１５は、商用電源ＡＣの他端側と電気的に接続されている。また、第２の照明ユニット１０ｂにおける接続装置５の共通端子１５は、商用電源ＡＣの他端側と電気的に接続されている。また、第３の照明ユニット１０ｃにおける接続装置５の共通端子１５は、商用電源ＡＣの他端側と電気的に接続されている。
【００４１】
センサ装置８の制御回路１１は、商用電源ＡＣと電気的に接続されている。なお、本実施形態では、制御回路１１が、商用電源ＡＣからの交流電圧を所定の直流電圧に変換するＡＣ／ＤＣコンバータ（図示せず）を有している。また、本実施形態では、制御回路１１が、スイッチ部９の可動接点と電気的に接続されている。
【００４２】
以下、本実施形態の照明装置に関して、スイッチ部９がオンされて商用電源ＡＣから各照明ユニット１０へ給電される場合について説明する。
【００４３】
第１の照明ユニット１０ａは、商用電源ＡＣから第１の照明ユニット１０ａの突入電流防止回路３（以下、第１の突入電流防止回路３ａ）における接続装置５の入力端子５ａと突入電流防止用の抵抗Ｒ１（以下、第１の突入電流防止用の抵抗Ｒ１ａ）とを介して、第１の照明ユニット１０ａの点灯回路２（以下、第１の点灯回路２ａ）に給電される。要するに、複数の照明ユニット１０のうち１つの照明ユニット１０である第１の照明ユニット１０ａは、商用電源ＡＣから第１の突入電流防止回路３ａにおける第１の突入電流防止用の抵抗Ｒ１ａを介して第１の点灯回路２ａに給電される。
【００４４】
第２の照明ユニット１０ｂは、商用電源ＡＣから第１の照明ユニット１０ａの第１の突入電流防止回路３ａにおける第１の突入電流防止用の抵抗Ｒ１ａと接続装置５の入出力端子５ｂとを介した後に、第２の照明ユニット１０ｂの突入電流防止回路３（以下、第２の突入電流防止回路３ｂ）における接続装置５の入出力端子５ｂを介して、第２の照明ユニット１０ｂの点灯回路２（以下、第２の点灯回路２ｂ）に給電される。言い換えれば、第２の照明ユニット１０ｂは、商用電源ＡＣから第１の照明ユニット１０ａにおける第１の突入電流防止用の抵抗Ｒ１ａと接続装置５の入出力端子５ｂとを介した後に、第２の突入電流防止回路３ｂにおける突入電流防止用の抵抗Ｒ１（第２の突入電流防止用の抵抗Ｒ１ｂ）を介さずに第２の点灯回路２ｂに給電される。要するに、残りの照明ユニット１０である第２の照明ユニット１０ｂは、商用電源ＡＣから第１の照明ユニット１０ａにおける第１の突入電流防止用の抵抗Ｒ１ａを介した後に、第２の突入電流防止回路３ｂにおける第２の突入電流防止用の抵抗Ｒ１ｂを介さずに第２の点灯回路２ｂに給電される。
【００４５】
第３の照明ユニット１０ｃは、商用電源ＡＣから第１の照明ユニット１０ａの第１の突入電流防止回路３ａにおける第１の突入電流防止用の抵抗Ｒ１ａと接続装置５の入出力端子５ｂとを介した後に、第３の照明ユニット１０ｃの突入電流防止回路３（以下、第３の突入電流防止回路３ｃ）における接続装置５の入出力端子５ｂを介して、第３の照明ユニット１０ｃの点灯回路２（以下、第３の点灯回路２ｃ）に給電される。言い換えれば、第３の照明ユニット１０ｃは、商用電源ＡＣから第１の照明ユニット１０ａにおける第１の突入電流防止用の抵抗Ｒ１ａと接続装置５の入出力端子５ｂとを介した後に、第３の突入電流防止回路３ｃにおける突入電流防止用の抵抗Ｒ１（第３の突入電流防止用の抵抗Ｒ１ｃ）を介さずに第３の点灯回路２ｃに給電される。
【００４６】
近年、照明器具は、光源として複数のＬＥＤ素子を用いることで光源が小型化され、器具本体内に、複数の光源と点灯回路とが組み込まれるようになってきている。また、このような照明器具とセンサとを連動させ、リレーなどにより複数の光源を一括で点灯させる照明装置が知られており、本願発明者は、比較例の照明装置として、図３に示す構成を有する照明装置を考えた。
【００４７】
比較例の照明装置は、光源としての照明負荷１と、照明負荷１を点灯させる点灯回路２と、突入電流防止用の抵抗Ｒ１とを具備する照明ユニット２０を複数（図示例では、３つ）備えている。各照明ユニット２０は、互いに並列接続されている。なお、比較例の照明装置では、点灯回路２と突入電流防止用の抵抗Ｒ１とが、照明負荷１を点灯可能な点灯装置１３を構成している。
【００４８】
また、比較例の照明装置は、本実施形態の照明装置と同様に、センサ装置８を備えている。なお、図３では、センサ装置８の一部であるスイッチ部９のみを図示してある。
【００４９】
以下、比較例の照明装置において、各照明ユニット２０の各々とセンサ装置８（具体的には、スイッチ部９）との接続関係を、図３に基づいて説明する。
【００５０】
各照明ユニット２０における突入電流防止用の抵抗Ｒ１の一端の各々は、スイッチ部９の一対の固定接点における一方の固定接点と電気的に接続されている。スイッチ部９の一対の固定接点における他方の固定接点は、商用電源ＡＣの一端側と電気的に接続されている。
【００５１】
また、各照明ユニット２０における突入電流防止用の抵抗Ｒ１の他端の各々は、対応する点灯回路２の一対の入力端における一方の入力端と電気的に接続されている。また、各点灯回路２の一対の入力端における他方の入力端の各々は、商用電源ＡＣの他端側と電気的に接続されている。
【００５２】
ところで、比較例の照明装置では、各照明ユニット２０における突入電流防止用の抵抗Ｒ１の各々が並列に接続されているため、比較例の照明装置の入力抵抗（並列接続された各突入電流防止用の抵抗Ｒ１の合成抵抗）の抵抗値がＲ１／３となり、突入電流が増加する可能性がある。
【００５３】
これに対して、本実施形態の照明装置では、複数の照明ユニット１０のうち１つの照明ユニット１０である第１の照明ユニット１０ａだけが、突入電流防止用の抵抗Ｒ１を介して点灯回路２と電気的に接続され、残りの照明ユニット１０である第２の照明ユニット１０ｂおよび第３の照明ユニット１０ｃの各々が、突入電流防止用の抵抗Ｒ１を介さずに点灯回路２と電気的に接続されているので、各照明ユニット１０における突入電流防止用の抵抗Ｒ１の各々が並列に接続されることがなく、突入電流が増加するのを抑制することが可能となる。
【００５４】
また、比較例の照明装置では、各照明ユニット２０の各照明負荷１が点灯する際に、突入電流が増加して、スイッチ部９における一対の固定接点と可動接点との接触部位が溶着することがあった。
【００５５】
これに対して、本実施形態の照明装置では、突入電流が増加するのを抑制することが可能となるので、スイッチ部９における上記接触部位が溶着するのを防止することが可能となる。
【００５６】
本実施形態の照明装置では、照明ユニット１０を、複数備えているが、図４に示すように、１つ備えていてもよい。
【００５７】
以下、図４に示す構成を有する他の照明装置において、照明ユニット１０とセンサ装置８との接続関係を説明する。
【００５８】
照明ユニット１０における接続装置５の入力端子５ａは、センサ装置８のスイッチ部９を介して商用電源ＡＣの一端側と電気的に接続されている。また、接続装置５の共通端子１５は、商用電源ＡＣの他端側と電気的に接続されている。
【００５９】
センサ装置８の制御回路１１は、商用電源ＡＣと電気的に接続されている。また、制御回路１１は、スイッチ部９と電気的に接続されている。なお、図４に示す構成を有する他の照明装置でも、制御回路１１が、商用電源ＡＣからの交流電圧を所定の直流電圧に変換するＡＣ／ＤＣコンバータ（図示せず）を有している。
【００６０】
ここで、本実施形態の照明装置と比較例の照明装置とに関して、照明装置の入力抵抗の抵抗値と突入電流の相対値との関係を、図５に示す。なお、図５では、縦軸が突入電流の相対値を表し、横軸が照明装置の入力抵抗の抵抗値を表している。また、図５では、点灯回路２の数が１つの場合をＡ１、点灯回路２の数が２つの場合をＡ２、点灯回路２の数が３つの場合をＡ３で表している。また、図５中の突入電流の相対値は、点灯回路２の数が１つの場合において照明装置の入力抵抗の抵抗値が０Ωのときを基準としてある。
【００６１】
以下、本実施形態の照明装置と比較例の照明装置とに関して、照明装置の入力抵抗の抵抗値と突入電流の相対値との関係を、図５に基づいてそれぞれ説明する。なお、以下では、本実施形態の照明装置および比較例の照明装置の突入電流防止用の抵抗Ｒ１の抵抗値を１０Ωとして、それぞれ説明する。
【００６２】
比較例の照明装置では、点灯回路２の数が１つの場合、照明装置の入力抵抗（突入電流防止用の抵抗Ｒ１）の抵抗値が１０Ωであり、突入電流の相対値が０．４となる。また、比較例の照明装置では、点灯回路２の数が２つの場合、照明装置の入力抵抗（並列接続された２つの突入電流防止用の抵抗Ｒ１の合成抵抗）の抵抗値が５Ωであり、突入電流の相対値が１．０となる。さらに、比較例の照明装置では、点灯回路２の数が３つの場合、照明装置の入力抵抗（並列接続された３つの突入電流防止用の抵抗Ｒ１の合成抵抗）の抵抗値が３．３３Ωであり、突入電流の相対値が１．４となる。
【００６３】
これに対して、本実施形態の照明装置では、点灯回路２の数が１つの場合、照明装置の入力抵抗（突入電流防止用の抵抗Ｒ１）の抵抗値が１０Ωであり、突入電流の相対値が０．４となる。また、本実施形態の照明装置では、点灯回路２の数が２つの場合、照明装置の入力抵抗（突入電流防止用の抵抗Ｒ１）の抵抗値が１０Ωであり、突入電流の相対値が０．４５となる。さらに、本実施形態の照明装置では、点灯回路２の数が３つの場合、照明装置の入力抵抗（突入電流防止用の抵抗Ｒ１）の抵抗値が１０Ωであり、突入電流の相対値が０．５５となる。
【００６４】
したがって、本実施形態の照明装置では、比較例の照明装置に比べて、複数の点灯回路２を備えていても、突入電流が増加するのを抑制することが可能となる。
【００６５】
なお、本実施形態の照明装置では、スイッチ部９としてリレーを用いているが、これに限らず、例えば、双方向サイリスタなどの半導体素子を用いてもよい。
【００６６】
以上説明した本実施形態の照明装置では、照明負荷１と、照明負荷１を点灯させる点灯回路２と、突入電流防止用の抵抗Ｒ１を有し点灯回路２への突入電流を防止する突入電流防止回路３とを具備する照明ユニット１０を複数備え、各照明ユニット１０が互いに並列接続されている。また、本実施形態の照明装置では、各突入電流防止回路３に、突入電流防止用の抵抗Ｒ１を介して点灯回路２と電気的に接続されるか、突入電流防止用の抵抗Ｒ１を介さずに点灯回路２と電気的に接続されるかを選択可能とする選択部４を設けているので、複数の点灯回路２を備えていても、突入電流が増加するのを抑制することが可能となる。
【００６７】
また、本実施形態の照明装置では、各照明ユニット１０への給電を一括でオンオフするためのスイッチ部９と、スイッチ部９のオンオフを制御する制御回路１１とを備えているので、各照明ユニット１０の照明負荷１を一括で点灯させることが可能となる。
【００６８】
（実施形態２）
本実施形態の照明装置は、基本構成が実施形態１と略同じであり、図６に示すように、各突入電流防止回路３が、抵抗値を可変とする可変抵抗Ｒ２を有する点などが実施形態１と相違する。なお、実施形態１と同様の構成要素には同一の符号を付して説明を適宜省略する。
【００６９】
本実施形態の照明装置では、実施形態１の照明装置における選択部４の代わりに、可変抵抗Ｒ２を用いている。なお、本実施形態では、商用電源ＡＣと電気的に接続可能な接続装置５を備えていないが、この接続装置５を備えるようにしてもよい。本実施形態の照明装置において接続装置５を備える場合は、入力端子５ａと、共通端子１５とを有していればよい。
【００７０】
以下、本実施形態の照明装置において、各照明ユニット１０の各々とセンサ装置８との接続関係を、図６に基づいて説明する。なお、本実施形態でも、説明の便宜上、３つの照明ユニット１０を、第１の照明ユニット１０ａ、第２の照明ユニット１０ｂ、第３の照明ユニット１０ｃと称することもある。
【００７１】
第１の照明ユニット１０ａにおける可変抵抗Ｒ２（以下、第１の可変抵抗Ｒ２ａ）の一端は、センサ装置８のスイッチ部９を介して商用電源ＡＣの一端側と電気的に接続されている。第１の可変抵抗Ｒ２ａの他端は、第１の点灯回路２ａの一対の入力端における一方の入力端と電気的に接続されている。第１の点灯回路２ａの一対の入力端における他方の入力端は、商用電源ＡＣの他端側と電気的に接続されている。
【００７２】
第２の照明ユニット１０ｂにおける可変抵抗Ｒ２（以下、第２の可変抵抗Ｒ２ｂ）の一端は、センサ装置８のスイッチ部９を介して商用電源ＡＣの一端側と電気的に接続されている。第２の可変抵抗Ｒ２ｂの他端は、第２の点灯回路２ｂの一対の入力端における一方の入力端と電気的に接続されている。第２の点灯回路２ｂの一対の入力端における他方の入力端は、商用電源ＡＣの他端側と電気的に接続されている。
【００７３】
第３の照明ユニット１０ｃにおける可変抵抗Ｒ２（以下、第３の可変抵抗Ｒ２ｃ）の一端は、センサ装置８のスイッチ部９を介して商用電源ＡＣの一端側と電気的に接続されている。第３の可変抵抗Ｒ２ｃの他端は、第３の点灯回路２ｃの一対の入力端における一方の入力端と電気的に接続されている。第３の点灯回路２ｃの一対の入力端における他方の入力端は、商用電源ＡＣの他端側と電気的に接続されている。
【００７４】
本実施形態の照明装置では、各可変抵抗Ｒ２ａ〜Ｒ２ｃの各々が並列に接続されているが、各可変抵抗Ｒ２ａ〜Ｒ２ｃに設けられた調整部（図示せず）により各可変抵抗Ｒ２ａ〜Ｒ２ｃの各々の抵抗値を調整することで、照明装置の入力抵抗（並列接続された各可変抵抗Ｒ２ａ〜Ｒ２ｃの合成抵抗）の抵抗値を変更することが可能となる。具体的に説明すると、本実施形態の照明装置では、点灯回路２の数が３つの場合、各可変抵抗Ｒ２ａ〜Ｒ２ｃにそれぞれ設けられた上記調整部により各可変抵抗Ｒ２ａ〜Ｒ２ｃの各々の抵抗値を３０Ωとすることで、照明装置の入力抵抗（並列接続された３つの可変抵抗Ｒ２ａ〜Ｒ２ｃの合成抵抗）の抵抗値が１０Ωとなる。これにより、本実施形態の照明装置では、図３に示す構成を有する比較例の照明装置に比べて、複数の点灯回路２を備えていても、突入電流が増加するのを抑制することが可能となる。
【００７５】
本実施形態の照明装置では、照明ユニット１０を、複数備えているが、図７に示すように、１つ備えていてもよい。
【００７６】
以下、図７に示す構成を有する他の照明装置において、照明ユニット１０とセンサ装置８との接続関係を説明する。
【００７７】
照明ユニット１０における可変抵抗Ｒ２の一端は、センサ装置８のスイッチ部９を介して商用電源ＡＣの一端側と電気的に接続されている。可変抵抗Ｒ２の他端は、点灯回路２の一対の入力端における一方の入力端と電気的に接続されている。点灯回路２の一対の入力端における他方の入力端は、商用電源ＡＣの他端側と電気的に接続されている。
【００７８】
以上説明した本実施形態の照明装置では、照明負荷１と、照明負荷１を点灯させる点灯回路２と、抵抗値を可変とする可変抵抗Ｒ２を有し点灯回路２への突入電流を防止する突入電流防止回路３とを具備する照明ユニット１０を複数備え、各照明ユニット１０が互いに並列接続されているので、複数の点灯回路２を備えていても、突入電流が増加するのを抑制することが可能となる。
【００７９】
（実施形態３）
本実施形態の照明装置は、基本構成が実施形態２と略同じであり、図８に示すように、各突入電流防止回路３に、複数の突入電流防止用の抵抗Ｒ３を有する突入電流防止部１４と、突入電流防止部１４の抵抗値を調整可能な調整部６とが設けられる点が実施形態２と相違する。なお、実施形態２と同様の構成要素には同一の符号を付して説明を適宜省略する。また、本実施形態では、突入電流防止用の抵抗Ｒ３の数を３つとしているが、この数は一例であり、特に限定するものではない。
【００８０】
調整部６は、複数（本実施形態では、３つ）のスイッチＳＷを有している。なお、本実施形態では、スイッチＳＷの数を３つとしているが、この数は一例であり、突入電流防止用の抵抗Ｒ３の数と同じであればよい。
【００８１】
本実施形態の照明装置では、実施形態２の照明装置における可変抵抗Ｒ２の代わりに、突入電流防止部１４と調整部６とを用いている。具体的に説明すると、本実施形態の照明装置では、１つのスイッチＳＷと１つの突入電流防止用の抵抗Ｒ３とで構成された直列回路を複数（本実施形態では、３つ）備え、これら複数の直列回路が並列に接続されている。なお、本実施形態では、各突入電流防止用の抵抗Ｒ３の抵抗値を、それぞれ３０Ωに設定している。
【００８２】
以下、本実施形態の照明装置において、各照明ユニット１０の各々とセンサ装置８との接続関係を、図８に基づいて説明する。なお、本実施形態でも、説明の便宜上、３つの照明ユニット１０を、第１の照明ユニット１０ａ、第２の照明ユニット１０ｂ、第３の照明ユニット１０ｃと称することもある。
【００８３】
第１の照明ユニット１０ａにおける調整部６の入力端は、センサ装置８のスイッチ部９を介して商用電源ＡＣの一端側と電気的に接続されている。第１の照明ユニット１０ａにおける突入電流防止部１４の出力端は、第１の点灯回路２ａの一対の入力端における一方の入力端と電気的に接続されている。第１の点灯回路２ａの一対の入力端における他方の入力端は、商用電源ＡＣの他端側と電気的に接続されている。
【００８４】
第２の照明ユニット１０ｂにおける調整部６の入力端は、センサ装置８のスイッチ部９を介して商用電源ＡＣの一端側と電気的に接続されている。第２の照明ユニット１０ｂにおける突入電流防止部１４の出力端は、第２の点灯回路２ｂの一対の入力端における一方の入力端と電気的に接続されている。第２の点灯回路２ｂの一対の入力端における他方の入力端は、商用電源ＡＣの他端側と電気的に接続されている。
【００８５】
第３の照明ユニット１０ｃにおける調整部６の入力端は、センサ装置８のスイッチ部９を介して商用電源ＡＣの一端側と電気的に接続されている。第３の照明ユニット１０ｃにおける突入電流防止部１４の出力端は、第３の点灯回路２ｃの一対の入力端における一方の入力端と電気的に接続されている。第３の点灯回路２ｃの一対の入力端における他方の入力端は、商用電源ＡＣの他端側と電気的に接続されている。
【００８６】
本実施形態の照明装置では、各突入電流防止部１４の各々が並列に接続されているが、各調整部６における各スイッチＳＷの各々を各別にオンまたはオフすることにより、照明装置の入力抵抗（並列接続された各突入電流防止部１４の合成抵抗）の抵抗値を変更することが可能となる。具体的に説明すると、本実施形態の照明装置では、点灯回路２の数が３つの場合、各調整部６における３つのスイッチＳＷのうち１つのスイッチＳＷだけをオンすることで、各突入電流防止部１４の各々の抵抗値が３０Ωとなり、照明装置の入力抵抗（並列接続された３つの突入電流防止部１４の合成抵抗）の抵抗値が１０Ωとなる。これにより、本実施形態の照明装置では、図３に示す構成を有する比較例の照明装置に比べて、複数の点灯回路２を備えていても、突入電流が増加するのを抑制することが可能となる。
【００８７】
本実施形態の照明装置では、照明ユニット１０を、複数備えているが、図９に示すように、１つ備えていてもよい。
【００８８】
以下、図９に示す構成を有する他の照明装置において、照明ユニット１０とセンサ装置８との接続関係を説明する。
【００８９】
照明ユニット１０における調整部６の入力端は、センサ装置８のスイッチ部９を介して商用電源ＡＣの一端側と電気的に接続されている。照明ユニット１０における突入電流防止部１４の出力端は、点灯回路２の一対の入力端における一方の入力端と電気的に接続されている。点灯回路２の一対の入力端における他方の入力端は、商用電源ＡＣの他端側と電気的に接続されている。
【００９０】
図９に示す構成を有する他の照明装置では、調整部６における３つのスイッチＳＷを全てオンして、照明装置の入力抵抗（突入電流防止部１４）の抵抗値を１０Ωとしているが、これに限らず、例えば、調整部６における３つのスイッチＳＷのうち１つのスイッチＳＷだけをオンして、照明装置の入力抵抗（突入電流防止部１４）の抵抗値を３０Ωとしてもよい。これにより、図９に示す構成を有する他の照明装置では、突入電流が増加するのをさらに抑制することが可能となる。
【００９１】
以上説明した本実施形態の照明装置では、照明負荷１と、照明負荷１を点灯させる点灯回路２と、点灯回路２への突入電流を防止する突入電流防止回路３とを具備する照明ユニット１０を複数備え、各照明ユニット１０が互いに並列接続されている。また、本実施形態の照明装置では、各突入電流防止回路３に、複数の突入電流防止用の抵抗Ｒ３を有する突入電流防止部１４と、突入電流防止部１４の抵抗値を調整可能な調整部６とを設けているので、複数の点灯回路２を備えていても、突入電流が増加するのを抑制することが可能となる。
【符号の説明】
【００９２】
１  照明負荷
２  点灯回路
３  突入電流防止回路
４  選択部
６  調整部
９  スイッチ部
１０  照明ユニット
１０ａ  第１の照明ユニット
１０ｂ  第２の照明ユニット
１１  制御回路
１４  突入電流防止部
Ｒ１  突入電流防止用の抵抗
Ｒ２  可変抵抗
Ｒ３  突入電流防止用の抵抗
【図１】
2013257980.tif 000003
【図２】
2013257980.tif 000004
【図３】
2013257980.tif 000005
【図４】
2013257980.tif 000006
【図５】
2013257980.tif 000007
【図６】
2013257980.tif 000008
【図７】
2013257980.tif 000009
【図８】
2013257980.tif 000010
【図９】
2013257980.tif 000011
【図１０】
2013257980.tif 000012